(57)【要約】【課題】撮影構図の決定をしやすくすることのできる撮像装置を提供する。【解決手段】システム制御部７は、ライブビュー画像上に撮像記録範囲Ｗを重ねて表示させた状態で、ＡＥ・ＡＦ指示があると図５に示す画像を表示部６に表示させ、この状態からカメラが動くと、図６に示す画像を表示部６に表示させる。図６において、枠Ｗは撮像指示に応じて行う撮像によって記録される現在の記録範囲を示し、斜めハッチングを付していない範囲は、ＡＥ・ＡＦ指示がなされたときに枠Ｗ内にあった過去の記録範囲を示す。【選択図】図６
2014110606.tif 000002
【特許請求の範囲】
【請求項１】
撮像光学系を通して被写体を撮像する撮像素子を有する撮像装置であって、
撮像記録範囲を示す第一の範囲を含みかつ当該第一の範囲よりも広い第二の範囲にある被写体の像である被写体像をライブビュー表示する表示部と、
前記表示部に対し、前記被写体像において前記第一の範囲と対応する範囲である記録範囲を明示するための第一の画像を当該被写体像に重ねて表示させる第一の表示制御部と、
前記第一の画像が表示された状態で、予め決められた操作がなされた場合に、表示中の前記被写体像における前記記録範囲に対応する情報を保持する情報保持部と、
前記被写体像に前記第一の画像が重ねて表示された状態で、当該被写体像に、前記情報保持部により保持された前記記録範囲に対応する情報に基づく当該記録範囲と重複する範囲である重複範囲がある場合に、前記表示部に対し、前記重複範囲を明示するための第二の画像を当該被写体像に重ねて表示させる第二の表示制御部と、を備える撮像装置。
【請求項２】
請求項１記載の撮像装置であって、
前記第一の画像は、前記記録範囲を示す枠の画像であり、
前記第二の画像は、前記被写体像における前記重複範囲と重なる部分が透明であり、前記被写体像における前記重複範囲を除く範囲と重なる部分が単色である画像である画像撮像装置。
【請求項３】
請求項１又は２記載の撮像装置であって、
前記予め決められた操作は、撮像条件の設定指示を行うための操作を含む撮像装置。
【請求項４】
請求項１〜３のいずれか１項記載の撮像装置であって、
前記予め決められた操作は、撮像指示を行うための操作を含む撮像装置。
【請求項５】
請求項４記載の撮像装置であって、
前記第二の表示制御部は、撮像指示を行うための操作に応じて前記情報が保持された前記記録範囲と重複する重複範囲を明示するための前記第二の画像と併せて、当該重複範囲の被写体が撮影記録済みであることを示す画像を表示させる撮像装置。
【請求項６】
請求項１〜５のいずれか１項記載の撮像装置であって、
前記第一の画像と前記第二の画像が前記表示部によって表示される場合に、前記第一の画像によって明示される前記記録範囲と前記第二の画像によって明示される前記重複範囲とを一致させるために必要な前記撮像装置の移動方向をガイドするための画像を前記被写体像に重ねて表示させる第三の表示制御部を備える撮像装置。
【請求項７】
請求項１〜６のいずれか１項記載の撮像装置であって、
前記表示部は、画像を表示する表示装置であり、
前記撮像素子は、前記第二の範囲の被写体を撮像可能であり、
前記表示装置は、前記撮像素子により前記第二の範囲の被写体を撮像して得られる撮像画像データに基づく画像を前記被写体像として表示する撮像装置。
【請求項８】
請求項１〜６のいずれか１項記載の撮像装置であって、
前記表示部は、画像を表示する表示装置であり、
前記撮像素子による被写体の最大撮像範囲は前記第一の範囲であり、
前記第二の範囲の被写体を撮像する広角撮像用の撮像素子を備え、
前記表示装置は、前記広角撮像用の撮像素子によって被写体を撮像して得られる撮像画像データに基づく画像を前記被写体像として表示する撮像装置。
【請求項９】
請求項１〜６のいずれか１項記載の撮像装置であって、
前記表示部は、ファインダ光学系と、画像を表示する表示装置であって前記ファインダ光学系を通過する光学像と前記画像とを重畳可能な位置に配置される表示装置と、前記表示装置に表示される画像と前記光学像とが重畳された像を観察するための接眼窓とを含み、前記接眼窓を覗く観察者に対して、前記光学像を前記被写体像としてライブビュー表示するものであり、
前記第一の表示制御部は、前記表示装置に前記第一の画像を表示させることで、前記表示部に対し、前記第一の画像を前記被写体像に重ねて表示させ、
前記第二の表示制御部は、前記表示装置に前記第二の画像を表示させることで、前記表示部に対し、前記第二の画像を前記被写体像に重ねて表示させる撮像装置。
【発明の詳細な説明】
【技術分野】
【０００１】
本発明は、撮像装置に関する。
【背景技術】
【０００２】
デジタルカメラ等の表示部を有する撮像装置では、撮像装置の背面に設けられた表示部や電子ビューファインダ等において、撮像素子によって撮像されている被写体像を表示することで、撮影構図を決定することが可能である。
【０００３】
特許文献１〜５には、撮像素子によって撮像されている範囲の画像を表示するモードと、撮像素子によって撮像されている範囲よりも広い範囲の画像を表示するモードとをボタン操作等によって切り替えられるようにした撮像装置が開示されている。
【０００４】
これらの撮像装置によれば、実際に撮像される範囲の周囲を確認しながら撮影構図を決定することができるため、利便性が高い。
【先行技術文献】
【特許文献】
【０００５】
【特許文献１】特開２０１０−１７１８３０号公報
【特許文献２】特開２００９−２８４３０９号公報
【特許文献３】特開２００８−９６５８２号公報
【特許文献４】特開２００１−２１１３６０号公報
【特許文献５】特開平２−９７９２８号公報
【発明の概要】
【発明が解決しようとする課題】
【０００６】
上述したような撮像装置を用いる場合、撮像範囲よりも広い範囲の画像を確認して構図を決定し、一度構図を決定した後でも、カメラを動かして構図の変化を見たい場合がある。しかしながら、特許文献１〜５では、このような場合を考慮しておらず、撮像装置の使い勝手を更に向上させられる余地がある。
【０００７】
本発明は、上記事情に鑑みてなされたものであり、撮影構図の決定をしやすくすることのできる撮像装置を提供することを目的とする。
【課題を解決するための手段】
【０００８】
本発明の撮像装置は、撮像光学系を通して被写体を撮像する撮像素子を有する撮像装置であって、撮像記録範囲を示す第一の範囲を含みかつその第一の範囲よりも広い第二の範囲にある被写体の像である被写体像をライブビュー表示する表示部と、上記表示部に対し、上記被写体像において上記第一の範囲と対応する範囲である記録範囲を明示するための第一の画像をその被写体像に重ねて表示させる第一の表示制御部と、上記第一の画像が表示された状態で、予め決められた操作がなされた場合に、表示中の上記被写体像における上記記録範囲に対応する情報を保持する情報保持部と、上記被写体像に上記第一の画像が重ねて表示された状態で、その被写体像に、上記情報保持部により保持された上記記録範囲に対応する情報に基づく記録範囲と重複する範囲である重複範囲がある場合に、上記表示部に対し、上記重複範囲を明示するための第二の画像を被写体像に重ねて表示させる第二の表示制御部と、を備えるものである。
【発明の効果】
【０００９】
本発明によれば、撮影構図の決定をしやすくすることのできる撮像装置を提供することができる。
【図面の簡単な説明】
【００１０】
【図１】本発明の一実施形態を説明するための撮像装置としてのデジタルカメラ１００の内部構成を示す図
【図２】図１に示すデジタルカメラ１００のフレーミングモード時の動作を説明するためのフローチャート
【図３】表示部６に表示されるライブビュー画像の一例を示す図
【図４】図２のステップＳ１の処理で表示部６に表示される画像例を示す図
【図５】図４の状態からシャッタボタンの半押し操作がなされた時点で表示部６に表示される画像を示す図
【図６】図５の状態から、シャッタボタンを半押ししたままデジタルカメラ１００を左上に移動させたときに表示部６に表示される画像を示す図
【図７】図６の状態からシャッタボタンの全押しがなされた後に表示部６に表示される画像を示す図
【図８】図７の状態から、シャッタボタンを押さないでデジタルカメラ１００を左上に移動させときに表示部６に表示される画像を示す図
【図９】図８の状態でシャッタボタンの半押し操作が行われたときに表示部６に表示される画像を示す図
【図１０】図５の状態からシャッタボタンを全押しして撮像を行い、その後、シャッタボタンを押さないままデジタルカメラ１００を９０°回転させたときの表示画像を示す図
【図１１】図５の状態からシャッタボタンを全押しして撮像を行った後、記録範囲のアスペクト比を１：１に変更する操作が行った後の表示画像を示す図
【図１２】表示部６に表示させる画像の変形例を示す図
【図１３】本発明の別実施形態を説明するための撮像装置としてのデジタルカメラ２００の外観斜視図
【図１４】図１３に示すデジタルカメラ２００の内部ブロック構成図
【発明を実施するための形態】
【００１１】
以下、本発明の実施形態について図面を参照して説明する。
【００１２】
図１は、本発明の一実施形態を説明するための撮像装置としてのデジタルカメラ１００の内部構成を示す図である。
【００１３】
デジタルカメラ１００は、撮像光学系１と、撮像素子２と、アナログフロントエンド（ＡＦＥ）３と、駆動部４と、デジタル信号処理部５と、表示部６と、ワークメモリ等の内部メモリ８と、外部機器からデータを読み取り可能なフラッシュメモリ等の記録媒体１０を制御するメディアインターフェース（Ｉ／Ｆ）９と、カメラ全体を統轄制御するシステム制御部７と、操作部１１とを備える。デジタル信号処理部５、表示部６、システム制御部７、内部メモリ８、及びメディアＩ／Ｆ９は、バス１２に接続されている。
【００１４】
撮像光学系１は、フォーカスレンズ、ズームレンズ、絞り等を含む。
【００１５】
撮像素子２は、撮像光学系１を通して被写体を撮像するものであり、例えばＣＣＤ型やＣＭＯＳ型の撮像素子が用いられる。
【００１６】
ＡＦＥ３は、撮像素子２の出力信号をアナログ信号処理し、その後、デジタル信号に変換して出力する。
【００１７】
駆動部４は、システム制御部７からの指令にしたがって、撮像光学系１、撮像素子２、及びＡＦＥ３を駆動する。
【００１８】
デジタル信号処理部５は、ＡＦＥ３で処理後の信号を処理して撮像画像データを生成する。
【００１９】
表示部６は、撮像素子２によって撮像済みの画像、撮像素子２によって撮像中の画像（ライブビュー画像）、カメラ操作に必要な各種画像等を表示するものである。表示部６は、例えば、液晶表示装置又は有機ＥＬ表示装置等により構成される。
【００２０】
操作部１１は、２段ストローク式のシャッタボタン及び十字キー等を含む。操作部１１が操作されると、その操作に応じた指示信号がシステム制御部７に入力される。デジタルカメラ１００では、シャッタボタンが半押しされると、オートフォーカス制御及び自動露出制御等の撮像条件の設定を指示する信号がシステム制御部７に入力される。また、シャッタボタンが全押しされると、記録媒体１０への画像記録のための撮像を指示する信号がシステム制御部７に入力される。
【００２１】
システム制御部７は、カメラが撮影モードに設定されると、撮像素子２により撮像を行わせ、この撮像によって得られる撮像画像データに基づく画像（ライブビュー画像という）を表示部６に表示させる処理をくり返し行う。この処理により、撮像素子２によって撮像中の被写体の像としてのライブビュー画像が、表示部６にライブビュー表示される。
【００２２】
通常の撮像モードでは、ライブビュー画像が表示部６に表示されている状態で、シャッタボタンの全押し操作によって撮像指示がなされると、システム制御部７は、撮像素子２により画像記録のための撮像を行わせ、この撮像によって得られる撮像画像データを記録媒体１０に記録させる。
【００２３】
デジタルカメラ１００では、撮像素子２による被写体の最大撮像範囲を確認しながら、それよりも狭い範囲にある被写体を撮像記録範囲とするフレーミングモードが設定可能となっている。
【００２４】
以下、フレーミングモード時のデジタルカメラの動作を説明する。
【００２５】
図２は、図１に示すデジタルカメラ１００のフレーミングモード時の動作を説明するためのフローチャートである。図３〜図９は、表示部６の表示領域に表示される画像例を示す図である。
【００２６】
デジタルカメラ１００は、ライブビュー画像の表示中に、例えば十字キーの上ボタンが押されるとフレーミングモードに移行し、上ボタンの押下が解除されるとフレーミングモードを終了する。
【００２７】
図３は、表示部６に表示されるライブビュー画像の一例を示す図である。図３に示すライブビュー画像が表示された状態で、十字キーの上ボタンが押されると、システム制御部７は、表示中のライブビュー画像における、撮像指示に応じて行う撮像時に撮像画像データとして記録する被写体の範囲に対応する範囲である記録範囲を明示するための画像（記録範囲明示用画像）を内部メモリから取得し、この記録範囲明示用画像をライブビュー画像に重ねて表示部６に表示させる（ステップＳ１）。
【００２８】
なお、上記記録範囲は、ライブビュー画像のサイズよりも小さいサイズが設定されている。
【００２９】
図４は、図２のステップＳ１の処理で表示部６に表示される画像例を示す図である。図４では、記録範囲のアスペクト比が４：３のときの画像を示している。
【００３０】
図４に示すように、ライブビュー画像には、記録範囲明示用画像として、アスペクト比４：３の記録範囲を示す枠Ｗが重ねて表示される。フレーミングモードにおいて、枠Ｗの表示位置は固定であり、デジタルカメラ１００を動かした場合でも、ライブビュー画像の中央位置に枠Ｗが常に表示される。
【００３１】
システム制御部７は、シャッタボタンの半押し操作を検出するまでは、ライブビュー画像の表示更新タイミング毎に、ステップＳ１の処理を行う。
【００３２】
そして、システム制御部７は、ライブビュー画像及び枠Ｗが表示された状態で、シャッタボタンの半押し操作を検出すると（ステップＳ２：ＹＥＳ）、半押し操作の検出直後に撮像素子２から出力された撮像画像信号のうち、記録範囲に対応する信号に基づいてＡＥ・ＡＦ制御を行う（ステップＳ３）。つまり、シャッタボタンの半押し操作がなされたときに表示部６に表示されている枠Ｗ内の画像に対応する被写体を基準に、フォーカスが合わせられ、露出が決定される。
【００３３】
ステップＳ３の後、システム制御部７は、シャッタボタンの半押し操作を検出した時点で表示中のライブビュー画像における記録範囲内の画像を選択し、選択した画像（以下、選択画像という）を内部メモリ８の選択画像記録領域に記憶する（ステップＳ４）。なお、選択画像記録領域に記憶される画像は、フレーミングモードの終了時点で消去される。
【００３４】
更に、システム制御部７は、表示中のライブビュー画像において、選択画像と重複する範囲である重複範囲を判定する。そして、システム制御部７は、この重複範囲を明示するための画像である重複範囲明示用画像を生成し、生成した重複範囲明示用画像をライブビュー画像と重ねて表示部６に表示させる（ステップＳ５）。
【００３５】
重複範囲明示用画像は、例えば、ライブビュー画像における重複範囲と重なる部分を透明とし、重複範囲を除く範囲と重なる部分が単色（例えばグレー）とした画像である。
【００３６】
重複範囲明示用画像は、記録範囲用明示画像と同様に枠の画像としてもよい。重複範囲明示用画像を枠の画像とする場合は、記録範囲用明示画像の枠と区別するために、枠の表示色や枠の線種を変える等したほうがよい。
【００３７】
図５は、図４の状態からシャッタボタンの半押し操作がなされた時点で表示部６に表示される画像を示す図である。
【００３８】
図４の状態からシャッタボタンの半押し操作がなされた時点では、表示中のライブビュー画像と、システム制御部７によって選択された画像との重複範囲は、表示中のライブビュー画像における記録範囲と同じである。このため、表示部６には、ライブビュー画像に枠Ｗが重ねられた状態で、ライブビュー画像における重複範囲を除く範囲（図５の例では枠Ｗの外側の範囲と同じ）がグレーアウトされた画像（図中斜線領域がグレーアウト部分）が表示される。
【００３９】
ステップＳ５の後、システム制御部７は、シャッタボタンの全押し操作を検出する（ステップＳ６：ＹＥＳ）か、又は、シャッタボタンの半押し操作の解除を検出する（ステップＳ７：ＹＥＳ）までは、ライブビュー画像の表示更新タイミング毎に、ステップＳ５の処理を行う。
【００４０】
例えば、図５に示す画像が表示された状態から、シャッタボタンを半押ししたままデジタルカメラ１００を左上に移動させた場合を説明する。この場合、表示部６に表示させるライブビュー画像における重複範囲は、図５のときと比較して右下に移動する。一方で、前述したように、ライブビュー画像における記録範囲は固定である。このため、図６に示すように、ライブビュー画像の中心に枠Ｗが表示され、ライブビュー画像のうち、右下にある重複範囲を除く範囲がグレーアウトされた画像が表示部６に表示される。
【００４１】
ステップＳ７の判定がＹＥＳのとき、システム制御部７は、表示部６における重複範囲明示用画像の表示を停止させる（ステップＳ８）。
【００４２】
例えば、図５に示す画像が表示された状態からシャッタボタンの半押しが解除されると、表示部６に表示される画像は、図４に例示した画像に変化する。
【００４３】
ステップＳ６において、シャッタボタンの全押し操作を検出した場合（ステップＳ６：ＹＥＳ）、システム制御部７は、ステップＳ４で選択した画像と、全押し操作検出時点で表示中のライブビュー画像における記録範囲の画像とが同じか否かを判定する（ステップＳ９）。
【００４４】
ステップＳ９の判定がＹＥＳであれば、システム制御部７は、事前に設定された撮像条件にしたがって撮像素子２により画像記録のための撮像を行わせ、この撮像により得られた撮像画像データから、記録範囲に対応する部分をトリミングして、トリミングした画像データを記録媒体１０に記録させると共に、この画像データに基づくプレビュー画像を所定時間だけ表示部６に表示させる（ステップＳ１２）。
【００４５】
ステップＳ９の判定がＮＯであれば、システム制御部７は、全押し操作検出時点で表示中のライブビュー画像における記録範囲の画像を選択し、この画像を内部メモリ８の選択画像記録領域に上書きして、選択画像を更新する（ステップＳ１０）。
【００４６】
そして、システム制御部７は、シャッタボタンの全押し操作の検出直後に撮像素子２から出力された撮像画像信号のうち、記録範囲に対応する信号に基づいて、ＡＥ・ＡＦ制御を行い（ステップＳ１１）、続けてステップＳ１２の処理を行う。
【００４７】
ステップＳ１２においてプレビュー画像の表示が終わると、システム制御部７は、ライブビュー画像及び枠Ｗの表示（ステップＳ１と同様の処理）を再開すると共に、表示させるライブビュー画像において、内部メモリ８の選択画像記録領域に記録されている選択画像と重複する範囲である重複範囲を判定する。
【００４８】
そして、システム制御部７は、この重複範囲を明示するための画像である重複範囲明示用画像を生成し、生成した重複範囲明示用画像をライブビュー画像と重ねて表示部６に表示させる（ステップＳ１３）。このとき、システム制御部７は、ライブビュー画像における重複範囲の画像上に、この重複範囲の画像が記録済みであることを示す画像を重ねて表示させる。
【００４９】
ステップＳ１２以降、システム制御部７は、シャッタボタンの半押し操作を検出するまでは、表示部６に表示させるライブビュー画像を更新するタイミング毎に、ステップＳ１３の処理を行う。
【００５０】
例えば、図６に示す画像が表示された状態でシャッタボタンが全押しされると、図６に示す枠Ｗ内の画像が選択・記憶されると共に、図６に示す枠Ｗ内の画像に対応する被写体の撮像画像データが記録媒体１０に記録される。そして、この撮像画像データに基づく画像のプレビューが終わると、図７に示すように、ライブビュー画像に枠Ｗが重ねられ、かつ、ライブビュー画像における図６の枠Ｗ内の画像との重複範囲（図７では枠Ｗと同じ範囲）内に記録済みであることを示すアイコンＡが重ねられ、かつ、ライブビュー画像において当該重複範囲を除く範囲をグレーアウトした画像が表示部６に表示される。
【００５１】
図７に示す画像が表示された状態から、シャッタボタンを押さない状態でデジタルカメラ１００を例えば左上に移動させると、ライブビュー画像における重複範囲が右下に移動するために、表示部６に表示される画像は図８に示すように変化する。
【００５２】
ステップＳ１３の処理の後、システム制御部７がシャッタボタンの半押し操作を検出すると（ステップＳ１４：ＹＥＳ）、システム制御部７は、表示部６における記録済みアイコンＡの表示を停止させ（ステップＳ１５）、その後、ステップＳ３の処理を行う。
【００５３】
例えば、図８に示す状態でシャッタボタンの半押し操作が行われると、アイコンＡが非表示になると共に、図８における枠Ｗ内の画像とライブビュー画像との重複範囲以外がグレーアウトされた図９に示す画像が表示部６に表示される。
【００５４】
以上のように、デジタルカメラ１００では、任意の時点で表示されるライブビュー画像に、そのライブビュー画像における現時点での記録範囲を明示するための画像と、そのライブビュー画像において過去に選択された記録範囲と重複している範囲（重複範囲）を明示するための画像とが重ねて表示される。
【００５５】
一般的なカメラでは、記録範囲を確定した図５の状態からカメラを移動させても、図９のように画面が変化するだけである。これでは、事前に確定した記録範囲がライブビュー画像上のどこにあるのかが分かり難い。これに対し、デジタルカメラ１００によれば、ライブビュー画像において、過去に確定した記録範囲との重複範囲が、現時点における記録範囲と明確に区別して表示されるため、構図の決定をしやすくすることができる。
【００５６】
また、事前に選択した記録範囲との重複範囲が表示部６に明示されるため、この重複範囲に、現時点で表示される記録範囲を合わせて、構図を元に戻す作業も容易になり、使い勝手が向上する。
【００５７】
また、デジタルカメラ１００によれば、ライブビュー画像において、重複範囲がカラー表示され、それ以外の範囲はグレーアウトして表示される。このため、重複範囲明示用画像を単なる枠の画像とする場合と比べると、記録範囲と重複範囲の区別がしやすくなる。
【００５８】
また、デジタルカメラ１００によれば、例えば、図５の状態からシャッタボタンを全押しして撮像を行い、その後、シャッタボタンを押さないままデジタルカメラ１００を９０°回転させると、表示部６には図１０に示すような画像を表示させることができる。また、図５の状態から、シャッタボタンを半押ししながらデジタルカメラ１００を９０°回転させた場合も、図１０においてアイコンＡが表示されない以外は同じ画像を表示することができる。このように、デジタルカメラ１００によれば、カメラを縦に構えたときと横に構えたときでの構図の比較も簡単に行うことができる。
【００５９】
なお、上述してきた記録範囲のアスペクト比は設定によって変えられるようにしてもよい。例えば、図５の状態からシャッタボタンを全押しして撮像を行った後、記録範囲のアスペクト比を１：１に変更する操作が行われた場合、システム制御部７は、表示部６に図１１に示すような画像を表示させる。このように、デジタルカメラ１００によれば、記録画像のアスペクト比を変えた状態での構図の比較も簡単に行うことができる。
【００６０】
システム制御部７は、記録範囲明示用画像と重複範囲明示用画像をライブビュー画像に重ねて表示させる制御を行う場合は、記録範囲明示用画像によって明示される記録範囲と、重複範囲明示用画像によって明示される重複範囲とを一致させるために必要なデジタルカメラ１００の移動方向をガイドするための画像を、ライブビュー画像に重ねて表示させることが好ましい。
【００６１】
例えば、図６に示す画像を表示部６に表示させるときには、図１２に示すように、矢印画像Ｙをライブビュー画像に重ねて表示させる。システム制御部７は、表示部６に表示させるライブビュー画像における記録範囲と重複範囲のそれぞれの座標情報から、デジタルカメラ１００をどの方向に移動させれば、記録範囲と重複範囲とが一致するのかを判定する。そして、判定した方向に応じた矢印画像Ｙを生成又はメモリから読み出して、表示部６に表示させればよい。
【００６２】
以上の説明では、図２のステップＳ１２において、撮像素子２によって撮像して得られる撮像画像データから記録範囲に対応する部分をトリミングして、トリミングした画像データを記録媒体１０に記録するものとしたが、これに限らない。
【００６３】
例えば、撮像素子２とは別に、撮像素子２より広い画角で撮像できる広角撮像素子をデジタルカメラ１００に設けておく。そして、フレーミングモードでは、この広角撮像素子によって撮像して得られる撮像画像データに基づく画像をライブビュー画像として表示部６に表示させる。この場合、ライブビュー画像における記録範囲に対応する被写体の範囲は、撮像素子２による被写体の最大撮像範囲と一致させることができ、フレーミングモードにおいても、解像度を落とすことなく撮像を行うことが可能になる。
【００６４】
図１では、デジタルカメラ１００における表示部６の搭載位置を明記していないが、この表示部６は、例えば、デジタルカメラ１００筐体の撮像光学系が設けられる面の反対面に設けられる表示装置であってもよいし、デジタルカメラ１００筐体に設けた接眼窓から、カメラ筐体内部に設けた小型の表示装置に表示される画像を確認できる覗き込み型の電子ビューファインダにおける上記小型の表示装置であってもよい。
【００６５】
図１３は、本発明の別実施形態を説明するための撮像装置としてのデジタルカメラ２００の外観斜視図である。
【００６６】
デジタルカメラ２００は、矩形の筐体１９を備える。筐体１９の正面中央には、レンズ鏡筒１８が設けられている。レンズ鏡筒１８内に、撮影レンズ（焦点位置合わせ用のフォーカスレンズやズームレンズ等）１３が収納されている。
【００６７】
筐体１９の上端面の片側にはシャッタボタン１４が設けられている。筐体１９の上端面のシャッタボタン１４とは反対側の角には、ファインダ装置１５が設けられている。ファインダ装置１５の被写体側ファインダ窓１６は、筐体１９正面の角部に設けられている。被写体側ファインダ窓１６と対向する筐体１９の背面側の部分に、ファインダ装置１５の接眼窓１７が設けられている。
【００６８】
図１４は、図１３に示すデジタルカメラ２００の内部ブロック構成図である。
【００６９】
同図において、デジタルカメラ２００は、ＣＣＤ型の固体撮像素子２１ａと、固体撮像素子２１ａの前段に置かれた撮像光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するアナログデジタル（Ａ／Ｄ）変換器２６ａと、ファインダ装置１５とを備える。撮像光学系は、撮影レンズ１３（ズームレンズを１３ａ、フォーカスレンズを１３ｂとしている）と、絞り（アイリス）２４と、を含んで構成されている。
【００７０】
なお、固体撮像素子２１ａは、図１４の例ではＣＣＤ型であるが、ＣＭＯＳ型等の他の形式の固体撮像素子でも良い。
【００７１】
ファインダ装置１５は、被写体側ファインダ窓１６と、接眼窓１７と、対物光学系６５と、ハーフミラー６３を内部に持つプリズム６６と、画像を表示する表示装置６１と、を備える。
【００７２】
被写体側ファインダ窓１６と接眼窓１７との間には、対物光学系６５とプリズム６６とが、ファインダ装置１５の入射光軸Ｌに沿ってこの順に配置されている。
【００７３】
ハーフミラー６３は、光軸Ｌに対して斜め４５度に設置されている。
【００７４】
表示装置６１は、例えば液晶表示装置によって構成されており、ハーフミラー６３に隣接しかつ光軸Ｌに対し平行に配置されている。表示装置６１は、表示領域において画像を表示させたい部分だけバックライトの光を透過させ、それ以外の部分のバックライト光は透過させないようにする（黒表示にする）ことで、画像の表示を行う。
【００７５】
これにより、表示装置６１に画像が表示されていない状態では、対物光学系６５及びハーフミラー６３を含むファインダ光学系を通過した被写体の像（ＯＶＦ光学像）のみを、接眼窓１７から確認することができる。
【００７６】
また、表示装置６１に画像が表示されている状態では、ＯＶＦ光学像と、表示装置６１から発せられハーフミラー６３で反射した光（表示装置６１に表示されるＥＶＦ画像）とが重畳された像を、接眼窓１７から確認することができる。
【００７７】
なお、ファインダ装置１５は、プリズム６６と表示装置６１を削除し、プリズム６６があった位置に、シースルー型の表示装置をその表示領域が光軸Ｌに対して垂直になるように配置したものであってもよい。
【００７８】
デジタルカメラ２００は、ズームレンズ１３ａの駆動モータに駆動パルスを供給するモータドライバ４６と、フォーカスレンズ１３ｂの駆動モータに駆動パルスを供給するモータドライバ４７と、絞り２４の絞り制御を行う駆動モータに駆動信号を供給するモータドライバ４８と、固体撮像素子２１ａに駆動タイミングパルスを供給するタイミングジェネレータ（ＴＧ）４９と、を備える。モータドライバ４６，４７，４８，及びＴＧ４９は、制御部３２からの指令に基づいて動作する。また、ＣＤＳＡＭＰ２５ａも制御部３２からの指令に基づいて動作する。
【００７９】
デジタルカメラ２００は、更に、Ａ／Ｄ変換器２６ａから出力されるデジタルの撮像画像信号を取り込む画像入力コントローラ３１と、このデジタルカメラ２００の全体を統括制御する制御部３２と、画像入力コントローラ３１によって取り込まれた撮像画像信号を画像処理して撮像画像データを生成する画像信号処理回路３３と、ワークメモリとして使用するＲＡＭや各種データを記憶するＲＯＭ等を含むメモリ３６と、画像処理後の撮像画像データをＪＰＥＧ画像やＭＰＥＧ画像に圧縮する圧縮処理回路３９と、表示制御部４１と、記録媒体４２に撮像画像データを記録するメディアコントローラ４３と、加速度センサ７５と、これらを相互接続するバス４４と、を備える。
【００８０】
表示制御部４１は、カメラ背面等に設けられた液晶表示装置４０（図１においては不図示）又はファインダ装置１５内の表示装置６１に、各種画像を表示させる。
【００８１】
加速度センサ７５は、デジタルカメラ２００の動きを検出するためのものであり、例えば３軸加速度センサが用いられる。加速度センサ７５は、検出した動き情報を制御部３２に送信する。
【００８２】
制御部３２には、図１３に示したシャッタボタン１４と図示しないズームボタン、十字キー等を含む操作部５０が接続されている。この操作部５０を介して入力されるユーザ指示に基づき、制御部３２はデジタルカメラ２００を制御する。
【００８３】
デジタルカメラ２００では、ファインダ装置１５の接眼窓１７から確認できる被写体の範囲が、撮像素子２１ａによる被写体の最大撮像範囲を含みかつこれよりも広い範囲となっている。これにより、ファインダ装置１５を、フレーミングモードにおけるライブビュー画像の表示手段として利用することができる。つまり、デジタルカメラ２００では、接眼窓１７から見えるＯＶＦ光学像を、デジタルカメラ１００において表示部６に表示されるライブビュー画像として扱うことができる。
【００８４】
そして、制御部３２が表示装置６１に表示させる画像を制御して、接眼窓１７から見える像の変化を、デジタルカメラ１００において表示部６に表示される画像の変化と同じにすることで、デジタルカメラ１００と同様の効果を得ることができる。以下、具体的に説明する。
【００８５】
接眼窓１７から見えるＯＶＦ光学像が図３に例示した画像であるとすると、フレーミングモードにおいては、図４に示した画像が接眼窓１７から観察可能となる。図４に示した枠Ｗは、デジタルカメラ２００においては、ＯＶＦ光学像において撮像素子２１ａによる被写体の撮像範囲と対応する範囲を示す画像であり、制御部３２が表示装置６１に表示させた画像である。
【００８６】
接眼窓１７から図４の画像が見えている状態で、シャッタボタンの半押し操作がなされると、制御部３２は、半押し操作を検出した時点で加速度センサ７５により検出されたデジタルカメラ２００の三次元座標の情報をメモリ３６の情報記憶領域に記憶する。この三次元座標の情報は、シャッタボタンが半押しされた時点において表示されているＯＶＦ光学像における枠Ｗ内の像に対応する情報となる。
【００８７】
また、制御部３２は、撮像素子２１ａによりＡＥ・ＡＦのための撮像を行わせ、この撮像により得られる撮像画像信号に基づいてＡＥ・ＡＦ制御が行われる。
【００８８】
更に、制御部３２は、メモリ３６の情報記憶領域に記憶した三次元座標の情報と、加速度センサ７５により検出された最新のデジタルカメラ２００の三次元座標の情報とを比較して、ＯＶＦ光学像における、メモリ３６の情報記憶領域に記憶された三次元座標情報に対応する画像との重複範囲を判定する。そして、制御部３２は、重複範囲を明示するための重複範囲明示用画像を表示装置６１に表示させる。
【００８９】
このように、加速度センサ７５の情報を用いることで、図３〜図１２に示した画像を接眼窓１７から観察可能にすることができる。なお、ここでは加速度センサの情報から重複範囲を判定するものとしたが、重複範囲の判定精度をより上げるために、撮像画像に対するパターン認識を併用するのがよい。具体的には、撮像素子２１ａによって撮像される画像を常にモニタリングし、画像同士の比較による重複範囲の判定をメインにしながら、補助的に加速度センサ７５の情報を用いることで、判定精度を上げることができる。
【００９０】
以上説明してきたように、本明細書には以下の事項が開示されている、
【００９１】
開示された撮像装置は、撮像光学系を通して被写体を撮像する撮像素子を有する撮像装置であって、撮像記録範囲を示す第一の範囲を含みかつその第一の範囲よりも広い第二の範囲にある被写体の像である被写体像をライブビュー表示する表示部と、上記表示部に対し、上記被写体像において上記第一の範囲と対応する範囲である記録範囲を明示するための第一の画像をその被写体像に重ねて表示させる第一の表示制御部と、上記第一の画像が表示された状態で、予め決められた操作がなされた場合に、表示中の上記被写体像における上記記録範囲に対応する情報を保持する情報保持部と、上記被写体像に上記第一の画像が重ねて表示された状態で、その被写体像に、上記情報保持部により保持された上記記録範囲に対応する情報に基づく記録範囲と重複する範囲である重複範囲がある場合に、上記表示部に対し、上記重複範囲を明示するための第二の画像を被写体像に重ねて表示させる第二の表示制御部と、を備えるものである。
【００９２】
開示された撮像装置は、上記第一の画像が、上記記録範囲を示す枠の画像であり、上記第二の画像は、上記被写体像における上記重複範囲と重なる部分が透明であり、上記被写体像における上記重複範囲を除く範囲と重なる部分が単色である画像であるものを含む。
【００９３】
開示された撮像装置は、上記予め決められた操作は、撮像条件の設定指示を行うための操作を含むものである。
【００９４】
開示された撮像装置は、上記予め決められた操作は、撮像指示を行うための操作を含むものである。
【００９５】
開示された撮像装置は、上記第二の表示制御部は、撮像指示を行うための操作に応じて上記情報が保持された上記記録範囲と重複する重複範囲を明示するための上記第二の画像と併せて、その重複範囲の被写体が撮影記録済みであることを示す画像を表示させるものである。
【００９６】
開示された撮像装置は、上記第一の画像と上記第二の画像が上記表示部によって表示される場合に、上記第一の画像によって明示される上記記録範囲と上記第二の画像によって明示される上記重複範囲とを一致させるために必要な上記撮像装置の移動方向をガイドするための画像を上記被写体像に重ねて表示させる第三の表示制御部を備えるものである。
【００９７】
開示された撮像装置は、上記表示部が、画像を表示する表示装置であり、上記撮像素子は、上記第二の範囲の被写体を撮像可能であり、上記表示装置は、上記撮像素子により上記第二の範囲の被写体を撮像して得られる撮像画像データに基づく画像を上記被写体像として表示するものである。
【００９８】
開示された撮像装置は、上記表示部が、画像を表示する表示装置であり、上記撮像素子による被写体の最大撮像範囲は上記第一の範囲であり、上記第二の範囲の被写体を撮像する広角撮像用の撮像素子を備え、上記表示装置は、上記広角撮像用の撮像素子によって被写体を撮像して得られる撮像画像データに基づく画像を上記被写体像として表示するものである。
【００９９】
開示された撮像装置は、上記表示部が、ファインダ光学系と、画像を表示する表示装置であって上記ファインダ光学系を通過する光学像と上記画像とを重畳可能な位置に配置される表示装置と、上記表示装置に表示される画像と上記光学像とが重畳された像を観察するための接眼窓とを含み、上記接眼窓を覗く観察者に対して、上記光学像を上記被写体像としてライブビュー表示するものであり、上記第一の表示制御部は、上記表示装置に上記第一の画像を表示させることで、上記表示部に対し、上記第一の画像を上記被写体像に重ねて表示させ、上記第二の表示制御部は、上記表示装置に上記第二の画像を表示させることで、上記表示部に対し、上記第二の画像を前記被写体像に重ねて表示させるものである。
【産業上の利用可能性】
【０１００】
本発明は、特にデジタルカメラ等に適用して利便性が高く、有効である。
【符号の説明】
【０１０１】
６  表示部
７  システム制御部
Ｗ  記録範囲を示す枠
【図１】
2014110606.tif 000003
【図２】
2014110606.tif 000004
【図３】
2014110606.tif 000005
【図４】
2014110606.tif 000006
【図５】
2014110606.tif 000007
【図６】
2014110606.tif 000008
【図７】
2014110606.tif 000009
【図８】
2014110606.tif 000010
【図９】
2014110606.tif 000011
【図１０】
2014110606.tif 000012
【図１１】
2014110606.tif 000013
【図１２】
2014110606.tif 000014
【図１３】
2014110606.tif 000015
【図１４】
2014110606.tif 000016